(57)【要約】【課題】改良されたサンルーフウインドデフレクタシステムを提供する。【解決手段】風切り音および車両のサンルーフ開口部からの乱流の流入を低減するシステムは、サンルーフ開口部にスライド可能に連結されたサンルーフパネルと、サンルーフ開口部の側縁の上のレールと、レールに固定される保持部と、保持部に回動可能に連結される上パネルおよびレールに連結される下パネルを有するデフレクタアセンブリと、を備え、サンルーフパネルは、閉位置においてデフレクタアセンブリを覆って圧縮するとともにサンフール開口を覆い、サンルーフパネルが少なくとも部分的に開く位置に格納されるときに、デフレクタアセンブリが回動して伸展する。【選択図】図４
2018070150.tif 000002
【特許請求の範囲】
【請求項１】
車両のサンルーフ開口部の空気流を偏向するためのシステムであって、
前記サンルーフ開口部にスライド可能に連結されるサンルーフパネルと、
前記サンルーフ開口部の側縁の上のレールと、
前記レールに固定される保持部と、
前記保持部に回動可能に連結される上パネルおよび前記レールに連結される下パネルを有するデフレクタアセンブリと、
を備え、
前記サンルーフパネルは、閉位置において前記デフレクタアセンブリを覆って圧縮するとともに前記サンルーフ開口部を覆い、
前記サンルーフパネルが少なくとも部分的に開く位置に格納されるときに、前記デフレクタアセンブリが回動して伸展する、システム。
【請求項２】
前記デフレクタアセンブリは、
前記上パネルに連結される第１端部および前記下パネルに連結される第２端部を有するメッシュと、
前記保持部および前記上パネルに連結されるねじりコイルばねと、
を備え、
前記ねじりコイルばねは、前記サンルーフパネルが少なくとも部分的に開く位置に格納されるときに、前記上パネルを前記サンルーフパネルの上方に伸展させる、請求項１に記載のシステム。
【請求項３】
前記保持部は、前記レールの溝に連結される脚部を有する、請求項１に記載のシステム。
【請求項４】
前記保持部は、前記レールの切欠部に締まり嵌めにより連結されるタブを有する、請求項１に記載のシステム。
【請求項５】
前記保持部は、上パネル取付部を有し、
前記上パネルの端部は、前記上パネル取付部に回動可能に連結される取付用切欠を有する、請求項２に記載のシステム。
【請求項６】
前記下パネルの端部に配置され、前記レールの端部に連結される取付アームをさらに備える、請求項２に記載のシステム。
【請求項７】
前記下パネルの端縁に沿って配置され、下パネル用フックと接触するように構成された成形接続部をさらに備え、
前記下パネル用フックは、前記サンルーフ開口部に隣接して配置されるハウジングの端縁を横切って連結される、請求項２に記載のシステム。
【発明の詳細な説明】
【技術分野】
【０００１】
本開示は、圧縮可能かつ伸展可能なサンルーフウインドデフレクタシステムおよび方法に関する。
【背景技術】
【０００２】
車両のサンルーフがより広範に用いられるようになるにつれて、数多くの課題が生じている。サンルーフを採用すると、その分、車両の重量が増し、また、サンルーフの操作に必要な関連機構の配置にスペースを要するため、車室内の利用可能な容積、特に乗員の頭上のスペースを減少させる傾向がある。また、開閉式のサンルーフを採用すると、車両の空力抵抗を増加させたり、車室内に風切り音を生じさせたりすることがある。空気抵抗が増すと、車の燃費の低下という望ましくない影響を生じる。こうした欠点を低減するために、サンルーフの動作および機構について、システムおよび方法の改良を続けることが重要である。
【発明の概要】
【０００３】
本開示は、気流が車両のサンルーフ開口部に入る前に、気流を上方にそらして拡散させるためのシステムに関する。本システムは、サンルーフ開口部を有する車両と、サンルーフ開口部にスライド可能に連結されるサンルーフパネルと、第１レールと、第２レールと、を備える。第１レールは、サンルーフ開口部の車両の長手方向軸にほぼ平行な第１側部に配置され、第２レールは、第１レールとほぼ対称かつ平行に、第１側部の反対側におけるサンルーフ開口部の第２側部に配置される。第１保持部および第２保持部は、それぞれ、第１レールおよび第２レールに連結される。デフレクタアセンブリは、第１保持部および第２保持部、並びに、第１レールおよび第２レールのうち、少なくとも１つに連結される。サンルーフパネルが閉位置にあるとき、同サンルーフパネルはサンルーフ開口部を覆うとともにデフレクタアセンブリを圧縮する。サンルーフパネルが少なくとも部分的に開く位置にあるとき、デフレクタアセンブリは伸展が許容されて気流を上方に向けるとともに、気流がサンルーフ開口部に入る前に気流を拡散させることにより、高圧の空気が車室内に入ることを防ぐ。
【０００４】
前述の例示的な実施についての一般的な説明および以下の詳細な説明は、単に本開示における示唆を例示的に示すものであって、限定的なものではない。
本開示およびその効果については、以下の詳細な説明を添付の図面と併せて参照することにより、よりよく理解される。
【図面の簡単な説明】
【０００５】
【図１】一実施例に係る車両のサンルーフウインドデフレクタシステムの概略図を示す。
【図２Ａ】一実施例に係るレールを示す。
【図２Ｂ】一実施例に係るレールを示す。
【図２Ｃ】一実施例に係るレールを示す。
【図２Ｄ】一実施例に係るレールを示す。
【図２Ｅ】一実施例に係るレールを示す。
【図２Ｆ】一実施例に係るレールを示す。
【図３Ａ】一実施例に係る保持部を示す。
【図３Ｂ】一実施例に係る保持部を示す。
【図３Ｃ】一実施例に係る保持部を示す。
【図３Ｄ】一実施例に係る保持部を示す。
【図３Ｅ】一実施例に係る保持部を示す。
【図３Ｆ】一実施例に係る保持部を示す。
【図４】一実施例に係るデフレクタアセンブリの側面図を示す。
【図５Ａ】一実施例に係るデフレクタアセンブリを示す。
【図５Ｂ】一実施例に係るデフレクタアセンブリを示す。
【図６Ａ】一実施例に係るサンルーフウインドデフレクタシステムの組立プロセスを示す。
【図６Ｂ】一実施例に係るサンルーフウインドデフレクタシステムの組立プロセスを示す。
【図６Ｃ】一実施例に係るサンルーフウインドデフレクタシステムの組立プロセスを示す。
【図６Ｄ】一実施例に係るサンルーフウインドデフレクタシステムの組立プロセスを示す。
【発明を実施するための形態】
【０００６】
複数の図を通して使用される同じ符号は、同一の又は対応する部分を示す。さらに、本開示において、その数に言及せず、単数のように記載した語については、「一つ以上」であることを意味する。
【０００７】
図面に関して、複数の図を通して同じ符号が付された部分は、同一のまたは対応する部分を示す。
図１は、一実施例に係る車両１０２のサンルーフウインドデフレクタシステム１０１の概略図である。サンルーフウインドデフレクタシステム１０１は、それぞれ第１レール２００および第２レール２０１に連結される第１保持部７００および第２保持部７０１と、フロントハウジング３００と、デフレクタアセンブリ１５０とを備える。第１レール２００は車両１０２のサンルーフ開口部１０４の第１側部に沿って配置され、第２レール２０１はサンルーフ開口部１０４の第２側部に沿って配置され、一対のレール２００，２０１は車両１０２に対して実質的に対称に配置され、第１レール２００および第２レール２０１はサンルーフ開口部１０４の両側に配置される。フロントハウジング３００は、車両１０２の前端に向かって配置されるサンルーフ開口部１０４の端縁の近傍に配置されるとともに、車両１０２に連結される。デフレクタアセンブリ１５０は、第１レール２００および第２レール２０１、第１保持部７００および第２保持部７０１、並びにフロントハウジング３００のうちの少なくとも一つに連結されるとともに、サンルーフ開口部１０４の端縁の近傍に配置される。
【０００８】
サンルーフパネル１０６は、閉じた状態では、サンルーフ開口部１０４およびサンルーフウインドデフレクタシステム１０１を覆うことにより、デフレクタアセンブリ１５０をサンルーフパネル１０６の下方における圧縮位置に保持する。
【０００９】
サンルーフパネル１０６は、開いた状態では、車両１０２の室内を外部環境に曝すために、サンルーフ開口部１０４を少なくとも部分的に開くように格納され、デフレクタアセンブリ１５０が配置された位置を超えて後方に格納されたときに、デフレクタアセンブリ１５０の起き上がりを許容する。
【００１０】
図２Ａ〜２Ｆは、一実施例に係るレール２００の様々な図を示す。レール２００は、第１端側が車両１０２の前部に向かう状態で、車両１０２（図１）のルーフ面の下に連結されるとともに、レール２００はサンルーフ開口部１０４の第１の長縁と隣接するように配置される。第２レール２０１は、第１レール２００に対して対称に、かつ、第１レール２００と平行に、サンルーフ開口部１０４の第２の長縁と隣接するように配置される。図２Ａは、レール２００の一実施例を示す。保持部７００は、レール２００の長さに沿って配置される溝２０４の中に挿入して組み立てる間に、レール２００に連結することができる。図２Ｂは、レール２００の別の実施例を示す。保持部７００は、レール２００の長さに沿って配置される溝２０４の中に挿入して組み立てる間に、レール２００に連結することができ、図２Ｂに示すレール２００の全体的な断面形状は図２Ａとは異なるが、溝２０４の断面形状は、図２Ａおよび図２Ｂの両実施例において、保持部７００を収容するために同じ大きさにするとよい。図２Ａおよび図２Ｂにおいて、レール２００は、その断面形状に溝２０４を有してもよく、また、その長さに沿って延びる切欠部２０２を有してもよい。また、レール２００は、溝２０４の内側から上方に向けて延びる突起２０６を有する。
【００１１】
レール２００の溝２０４に保持部７００を連結する工程を図２Ｃ〜２Ｅの断面図において示す。保持部７００は、溝２０４の長さに沿い、レール２００の長手方向軸に沿って挿入されるとよい。保持部７００（図２Ａ，２Ｂ）は、その一部が溝２０４内に配置されて、レール２００の切欠部２０２と整合するまで、レール２００の長さに沿ってスライドする。次に、保持部７００は、保持部７００の脚部７１０および脚部７１１のうちの少なくとも１つが溝２０４内の突起２０６に完全に連結され、かつ、同突起２０６に対して位置決めされるように、レール２００に対して押圧される。図２Ｄから明らかなように、保持部７００の面取りされた内縁部７０３が突起２０６を超えてスライドすると、図２Ｅに示すように、保持部７００の遠位端が突起２０６によって保持される。また、保持部７００のタブ７０２は、締まり嵌めによりレール２００の切欠部２０２の中に押し込まれ、これにより、保持部７００がレール２００に対して相対移動しないように固定される。保持部７００を溝２０４および切欠部２０２の内側に配置し、かつ、レール２００との締まり嵌めを介してタブ７０２を圧縮することによって、保持部７００をレール２００に固定してもよい。これにより、保持部７００が車両１０２、レール２００およびサンルーフパネル１０６に対して振動したりがたついたりしなくなる。保持部７０１は、同様の方法でレール２０１に固定するとよい。
【００１２】
さらに、第１レール２００の前端および第２レール２０１の前端のうち少なくとも一つに、取付アーム５０２（図４）を介して下パネル５００が連結される面を設けてもよい。図２Ｆは、図２Ｃ〜２Ｅに従って組み立てが完了した保持部７００およびレール２００の側面図を示す。
【００１３】
保持部７００とレール２００とをコンパクトな入れ子構造で連結すると、サンルーフの他の構成要素をレール２００に連結したりレール２００に沿って移動させたりするためのスペースを確保できる、という利点がある。
【００１４】
図３Ａ〜３Ｆは、一実施例に係る保持部７００の様々な図である。保持部７００は、図２Ａ〜２Ｆに示すように、レール２００に沿って並ぶように、あるいはレール２００内に配置され、かつ、レール２００に対して連結されるとよい。さらに、保持部７００は、上パネル取付部７０６と、上パネル止め７０８とを有するとよい。上パネル４００は保持部７００に対して回動可能に連結され、上パネル４００の第１端は上パネル取付部７０６の周りを回動するが、上パネル４００がその動作範囲内（図４）で回動するときに、上パネル４００の第１端の上パネル取付部７０６に対する連結を維持するために、上パネル止め７０８が上パネル４００の動きを制限する。軸部７０４は、保持部７００の長手方向軸に直交する方向に突出してもよい。軸部７０４は、ねじりコイルばね１２８（図５Ａ〜５Ｄ）に連結されるとともに、そのねじりコイルばね１２８のコイル部分を支持するようにするとよい。ねじりコイルばね１２８の第１端は保持部７００のばね溝７１２に連結してもよく、この場合、ばね溝７１２はねじりコイルばね１２８の前端を保持するとともに保持部７００に固定させる。ねじりコイルばね１２８の第２端は、上パネル４００に連結するとよい。保持部７００が溝２０４に連結されると、タブ７０２はレール２００の切欠部２０２内に押し込まれる。タブ７０２は、切欠部２０２の高さがタブ７０２の高さより低くなって嵌合するように曲げることにより、切欠部２０２とタブ７０２の間が締まり嵌めとなるようにするとよい。脚部７１０および溝２０４は、保持部７００をレール２００の側方に固定するために設けられる。組み立ての間、保持部７００はレール２００に沿って配置されるので、保持部７００は溝２０４の中に押し込まれることによって横方向に固定され、タブ７０２が切欠部２０２の中に押し込まれる。脚部７１１は、脚部７１０と同様に、溝２０４と係合するとともに溝２０４に連結するとよい。第２保持部７０１は第２レール２０１に連結され、第２レール２０１および第２保持部７０１は、それぞれ第１レール２００および第１保持部７００と対称に配置するとよい。図３Ｆは、図２Ｅと同様に、レール２００に連結された保持部７００を示す。
【００１５】
図４は、一実施例に係るデフレクタアセンブリ１５０の側面図である。以下、上パネル４００の一部について説明するが、上パネル４００は、第１の部分と実質的に対称をなす第２の一致部分を有するとよい。両部分は、図１，５Ｂに図示する。上パネル４００の第１端は、上パネル取付部７０６に連結されるように形成された取付用切欠４０２を有してもよい。上パネル４００の下向きの側面は、ねじりコイルばね１２８の第２端と接触させるとよい。サンルーフパネル１０６および上パネル４００が閉位置にある状態から、サンルーフパネル１０６が少なくとも部分的に開く位置にある状態まで、上パネル４００がその動作範囲内で回転すると、ねじりコイルばね１２８の第２端が上パネル４００を押して車両１０２のルーフ面の上方位置まで伸展させ、これにより、上パネル４００はサンルーフパネル１０６の高さを超えて突出する伸展位置に配置される。上パネル４００が伸縮するとき、ねじりコイルばね１２８の第２端は上パネル４００の下向きの側面に沿ってスライドし、上パネル４００に対するばね力を維持する。伸展位置において、上パネル４００は、メッシュ６００を上向きに引き上げて、その表面において気流を導くようにしてもよい。ねじりコイルばね１２８は軸部７０４を中心に回転可能であり、保持部７００と上パネル４００との間でばねの張力を維持し、サンルーフパネル１０６が格納されて上パネル４００の上にないときには、上パネル４００を上向きに伸展させる力を付与する。サンルーフパネル１０６が車両１０２の後方に向けて十分に格納されなかった場合には、上パネル４００の上方にあるサンルーフパネル１０６の圧力によってねじりコイルばね１２８が上パネル４００に圧縮された状態が維持され、上パネル４００は折りたたみ位置に留まる。ねじりコイルばね１２８のばね力または複数のねじりコイルばね１２８の合成されたばね力を上パネル４００に付与することにより、上パネル４００の振動は、約４．４Ｇの誘導振動を上限として、十分に抑制し得る。
【００１６】
サンルーフパネル１０６が開位置または部分的に開いた位置にあり、かつ、上パネル４００が伸展位置にある状態で車両１０２が前方に進むときには、サンルーフパネル１０６が開位置または部分的に開いた位置にあるときに上パネル４００およびメッシュ６００が伸展位置にない場合よりも、メッシュ６００が伸張された状態になって、空気流をサンルーフ開口部１０４より上方へ向けるとともに高圧の空気を拡散させることにより、風切り音および車両１０２内への乱流の流入を低減する。
【００１７】
別の実施例として、上パネル４００は、少なくとも２つの構成要素の組み立てにより形成することができる。それらの構成要素が組み合わされた状態において、その構成要素は、上記の実施例と同様の構造および機能を備えてもよい。以下に、上パネル４００の一部および下パネル５００の一部について説明する。上パネル４００および下パネル５００の各部分は、第１の部分と対称的な、対応する第２の部分をそれぞれ有してもよい。
【００１８】
図５Ａ〜５Ｂは、一実施例に係るデフレクタアセンブリ１５０を示す。デフレクタアセンブリ１５０は、メッシュ６００を有してもよく、メッシュ６００の第１端部は上パネル４００に連結されてもよく、メッシュ６００の第２端部は下パネル５００に連結されてもよい。メッシュ６００は、上パネル４００の側縁（車両１０２に対して）に沿うように上パネル４００に連結されてもよいし、下パネル５００の側縁（車両１０２に対して）に沿うように下パネル５００に連結されてもよい。上パネル４００とメッシュ６００との連結、および、下パネル５００とメッシュ６００との連結は、上パネル４００および下パネル５００の各々を、例えばポリプロピレンといった樹脂から成形するときに、オーバーモールディングプロセスにより形成してもよく、そうしたメッシュ６００（例えば布により形成される）は、いずれもデフレクタアセンブリ１５０を形成するように連結される。
【００１９】
上パネル４００および下パネル５００は互いに自由に動くことができるが、メッシュ６００に対して連結されたり、あるいは、上パネル４００および下パネル５００の何れかが取り付けられる別の構成要素に対して連結されたりすることにより、その動きが制限される。サンルーフパネル１０６が開位置または部分的に開いた位置にある場合およびデフレクタアセンブリ１５０が伸展位置にある場合のように、上パネル４００の第２端部と下パネル５００の第２端部が十分に離間すると、メッシュ６００は伸張された状態になる。逆に、サンルーフパネル１０６が閉じてデフレクタアセンブリ１５０も閉じた状態になると、メッシュ６００は折りたたまれる。デフレクタアセンブリ１５０は第１レール２００および第２レール２０１、第１保持部７００および第２保持部７０１、並びにフロントハウジング３００に連結されるように設計され、サンルーフパネル１０６が開位置にあるときには、デフレクタアセンブリ１５０が伸展位置に配置され、ねじりコイルばね１２８のばね力によって上パネル４００と下パネル５００との間にメッシュ６００が張設される。サンルーフパネル１０６が閉位置にあるときには、上パネル４００の上方に配置されるサンルーフパネル１０６によってねじりコイルばね１２８が圧縮され、上パネル４００および下パネル５００が共に格納されるので、メッシュ６００が折り畳まれる。
【００２０】
上パネル４００は、実質的に対称をなして同様に第２保持部７０１に連結される第２端を有してもよく、この上パネル４００は、第１端と第２端との間が平面視におけるＵ字形を形成する。
【００２１】
下パネル５００は、実質的に対称をなす第２端を有してもよく、この下パネル５００は、第１端と第２端との間が平面視におけるＵ字形を形成する。取付アーム５０２は下パネル５００の第１端に連結され、取付アーム５０３は下パネル５００の第２端に連結されるとよい。取付アーム５０２はレール２００の端部にスナップフィットなどによって連結するように構成するとよく、取付アーム５０３はレール２０１の端部にスナップフィットなどによって連結するように構成するとよい。一以上の成形接続部５０４は、下パネル５００の端部に連結されるとよい。
【００２２】
取付アーム５０２は、第１案内面５０６、第２案内面５０８、Ｕ字形状部５１０および凹部５１２を有する。第１案内面５０６および第２案内面５０８は、アーム５０２の上端部と下端部とに配置される。第１案内面５０６および第２案内面５０８の各々は、レール２００の端部に対応する位置に、面取りされた縁部または湾曲した縁部を有する。仮に、レール２００の端が取付アーム５０２の下方または上方にあると、レール２００の端部は、それぞれ第１案内面５０６または第２案内面５０８に沿ってスライドした後に、両ガイド面の間に形成された凹部内に配置される。図４に示すように、Ｕ字形状部５１０および凹部５１２が組み合わされて弾性構造を形成することにより、取付アーム５０２は上方または下方に向かう弾力性のある動きが可能になる。Ｕ字形状部５１０の弾性変形と案内面（５０６および５０８）との組み合わせにより、レール２００の端部における取付アーム５０２の挿入が容易になる。
【００２３】
下パネル５００の縁部は、成形接続部５０４の個数と対応する数のフロントハウジング３００の下パネル用フック３０２に連結されるように構成することができ、これにより、下パネル５００は車両１０２内に安定して配置される。成形接続部５０４がフロントハウジング３００（図４）の上で対応する下パネル用フック３０２に容易に掛止するように、成形接続部５０４の各々をアンダーカット形状にしてもよい。
【００２４】
別の実施例として、下パネル５００は、少なくとも２つの構成要素を組み立てて形成してもよい。組み立て状態において、それら構成要素は、上記の実施例と同様の構造および機能を有してもよい。
【００２５】
図６Ａ〜６Ｄは、一実施例に係るサンルーフウインドデフレクタシステム１０１の組立プロセスを示す。一実施形態として、ねじりコイルばね１２８は、軸部７０４の周りを回動できるように、保持部７００の軸部７０４の上に配置してもよい。ねじりコイルばね１２８の第１端部は、保持部７００のばね溝７１２内に配置するとよい。ねじりコイルばね１２８の第２端部は、上パネル４００を支持するように、上方に向けて突出するように配置してもよい。その後、デフレクタアセンブリ１５０の上パネル４００は、保持部７００の上パネル取付部７０６に連結するとよい。そして、上パネル４００を下降させてねじりコイルばね１２８の第２端部と接触させることにより、デフレクタアセンブリ１５０が伸展位置と格納位置との間で変位するときに、上パネル４００の下向きの移動に抵抗する力を生じさせる。
【００２６】
パネル取付部７０６における上パネル４００の保持を補助するために、上パネル４００は、上パネル４００の動作範囲内の角度よりも大きい、水平に対するある角度で連結されてもよい。その水平に対する角度は、約４５度より大きくてもよい。
【００２７】
以上の記載は、単に、本出願の例示的な実施形態を開示および説明するものである。当業者であれば、本出願は、その主旨または本質的な特性から逸脱することなく、他の形態で具体化され得ることが理解される。したがって、本出願における本開示は、説明のためのものであり、請求の範囲および他の請求項を限定するものではない。本開示は、ここで示唆する容易に識別可能な変形例を含めて、発明の主題でない事項が公衆に供されることがないよう、ある程度、前述の請求項の用語の範囲を定める。
【図１】
2018070150.tif 000003
【図２Ａ】
2018070150.tif 000004
【図２Ｂ】
2018070150.tif 000005
【図２Ｃ】
2018070150.tif 000006
【図２Ｄ】
2018070150.tif 000007
【図２Ｅ】
2018070150.tif 000008
【図２Ｆ】
2018070150.tif 000009
【図３Ａ】
2018070150.tif 000010
【図３Ｂ】
2018070150.tif 000011
【図３Ｃ】
2018070150.tif 000012
【図３Ｄ】
2018070150.tif 000013
【図３Ｅ】
2018070150.tif 000014
【図３Ｆ】
2018070150.tif 000015
【図４】
2018070150.tif 000016
【図５Ａ】
2018070150.tif 000017
【図５Ｂ】
2018070150.tif 000018
【図６Ａ】
2018070150.tif 000019
【図６Ｂ】
2018070150.tif 000020
【図６Ｃ】
2018070150.tif 000021
【図６Ｄ】
2018070150.tif 000022
【手続補正書】
【提出日】平成29年11月30日(2017.11.30)
【手続補正１】
【補正対象書類名】明細書
【補正対象項目名】全文
【補正方法】変更
【補正の内容】
【発明の詳細な説明】
【技術分野】
【０００１】
本開示は、圧縮可能かつ伸展可能なサンルーフウインドデフレクタシステムおよび方法に関する。
【背景技術】
【０００２】
車両のサンルーフがより広範に用いられるようになるにつれて、数多くの課題が生じている。サンルーフを採用すると、その分、車両の重量が増し、また、サンルーフの操作に必要な関連機構の配置にスペースを要するため、車室内の利用可能な容積、特に乗員の頭上のスペースを減少させる傾向がある。また、開閉式のサンルーフを採用すると、車両の空力抵抗を増加させたり、車室内に風切り音を生じさせたりすることがある。空気抵抗が増すと、車の燃費の低下という望ましくない影響を生じる。こうした欠点を低減するために、サンルーフの動作および機構について、システムおよび方法の改良を続けることが重要である。
【先行技術文献】
【特許文献】
【０００３】
【特許文献１】米国特許第８４０３４０６号明細書
【特許文献２】米国特許第４６７６５４６号明細書
【特許文献３】米国特許第８２６７４６５号明細書
【特許文献４】特開２０１６―０１１０３６号公報
【特許文献５】特開２０１６―０１１０３７号公報
【発明の概要】
【０００４】
本開示は、気流が車両のサンルーフ開口部に入る前に、気流を上方にそらして拡散させるためのシステムに関する。本システムは、サンルーフ開口部を有する車両と、サンルーフ開口部にスライド可能に連結されるサンルーフパネルと、第１レールと、第２レールと、を備える。第１レールは、サンルーフ開口部の車両の長手方向軸にほぼ平行な第１側部に配置され、第２レールは、第１レールとほぼ対称かつ平行に、第１側部の反対側におけるサンルーフ開口部の第２側部に配置される。第１保持部および第２保持部は、それぞれ、第１レールおよび第２レールに連結される。デフレクタアセンブリは、第１保持部および第２保持部、並びに、第１レールおよび第２レールのうち、少なくとも１つに連結される。サンルーフパネルが閉位置にあるとき、同サンルーフパネルはサンルーフ開口部を覆うとともにデフレクタアセンブリを圧縮する。サンルーフパネルが少なくとも部分的に開く位置にあるとき、デフレクタアセンブリは伸展が許容されて気流を上方に向けるとともに、気流がサンルーフ開口部に入る前に気流を拡散させることにより、高圧の空気が車室内に入ることを防ぐ。
【０００５】
前述の例示的な実施についての一般的な説明および以下の詳細な説明は、単に本開示における示唆を例示的に示すものであって、限定的なものではない。
本開示およびその効果については、以下の詳細な説明を添付の図面と併せて参照することにより、よりよく理解される。
【図面の簡単な説明】
【０００６】
【図１】一実施例に係る車両のサンルーフウインドデフレクタシステムの概略図を示す。
【図２Ａ】一実施例に係るレールを示す。
【図２Ｂ】一実施例に係るレールを示す。
【図２Ｃ】一実施例に係るレールを示す。
【図２Ｄ】一実施例に係るレールを示す。
【図２Ｅ】一実施例に係るレールを示す。
【図２Ｆ】一実施例に係るレールを示す。
【図３Ａ】一実施例に係る保持部を示す。
【図３Ｂ】一実施例に係る保持部を示す。
【図３Ｃ】一実施例に係る保持部を示す。
【図３Ｄ】一実施例に係る保持部を示す。
【図３Ｅ】一実施例に係る保持部を示す。
【図３Ｆ】一実施例に係る保持部を示す。
【図４】一実施例に係るデフレクタアセンブリの側面図を示す。
【図５Ａ】一実施例に係るデフレクタアセンブリを示す。
【図５Ｂ】一実施例に係るデフレクタアセンブリを示す。
【図６Ａ】一実施例に係るサンルーフウインドデフレクタシステムの組立プロセスを示す。
【図６Ｂ】一実施例に係るサンルーフウインドデフレクタシステムの組立プロセスを示す。
【図６Ｃ】一実施例に係るサンルーフウインドデフレクタシステムの組立プロセスを示す。
【図６Ｄ】一実施例に係るサンルーフウインドデフレクタシステムの組立プロセスを示す。
【発明を実施するための形態】
【０００７】
複数の図を通して使用される同じ符号は、同一の又は対応する部分を示す。さらに、本開示において、その数に言及せず、単数のように記載した語については、「一つ以上」であることを意味する。
【０００８】
図面に関して、複数の図を通して同じ符号が付された部分は、同一のまたは対応する部分を示す。
図１は、一実施例に係る車両１０２のサンルーフウインドデフレクタシステム１０１の概略図である。サンルーフウインドデフレクタシステム１０１は、それぞれ第１レール２００および第２レール２０１に連結される第１保持部７００および第２保持部７０１と、フロントハウジング３００と、デフレクタアセンブリ１５０とを備える。第１レール２００は車両１０２のサンルーフ開口部１０４の第１側部に沿って配置され、第２レール２０１はサンルーフ開口部１０４の第２側部に沿って配置され、一対のレール２００，２０１は車両１０２に対して実質的に対称に配置され、第１レール２００および第２レール２０１はサンルーフ開口部１０４の両側に配置される。フロントハウジング３００は、車両１０２の前端に向かって配置されるサンルーフ開口部１０４の端縁の近傍に配置されるとともに、車両１０２に連結される。デフレクタアセンブリ１５０は、第１レール２００および第２レール２０１、第１保持部７００および第２保持部７０１、並びにフロントハウジング３００のうちの少なくとも一つに連結されるとともに、サンルーフ開口部１０４の端縁の近傍に配置される。
【０００９】
サンルーフパネル１０６は、閉じた状態では、サンルーフ開口部１０４およびサンルーフウインドデフレクタシステム１０１を覆うことにより、デフレクタアセンブリ１５０をサンルーフパネル１０６の下方における圧縮位置に保持する。
【００１０】
サンルーフパネル１０６は、開いた状態では、車両１０２の室内を外部環境に曝すために、サンルーフ開口部１０４を少なくとも部分的に開くように格納され、デフレクタアセンブリ１５０が配置された位置を超えて後方に格納されたときに、デフレクタアセンブリ１５０の起き上がりを許容する。
【００１１】
図２Ａ〜２Ｆは、一実施例に係るレール２００の様々な図を示す。レール２００は、第１端側が車両１０２の前部に向かう状態で、車両１０２（図１）のルーフ面の下に連結されるとともに、レール２００はサンルーフ開口部１０４の第１の長縁と隣接するように配置される。第２レール２０１は、第１レール２００に対して対称に、かつ、第１レール２００と平行に、サンルーフ開口部１０４の第２の長縁と隣接するように配置される。図２Ａは、レール２００の一実施例を示す。保持部７００は、レール２００の長さに沿って配置される溝２０４の中に挿入して組み立てる間に、レール２００に連結することができる。図２Ｂは、レール２００の別の実施例を示す。保持部７００は、レール２００の長さに沿って配置される溝２０４の中に挿入して組み立てる間に、レール２００に連結することができ、図２Ｂに示すレール２００の全体的な断面形状は図２Ａとは異なるが、溝２０４の断面形状は、図２Ａおよび図２Ｂの両実施例において、保持部７００を収容するために同じ大きさにするとよい。図２Ａおよび図２Ｂにおいて、レール２００は、その断面形状に溝２０４を有してもよく、また、その長さに沿って延びる切欠部２０２を有してもよい。また、レール２００は、溝２０４の内側から上方に向けて延びる突起２０６を有する。
【００１２】
レール２００の溝２０４に保持部７００を連結する工程を図２Ｃ〜２Ｅの断面図において示す。保持部７００は、溝２０４の長さに沿い、レール２００の長手方向軸に沿って挿入されるとよい。保持部７００（図２Ａ，２Ｂ）は、その一部が溝２０４内に配置されて、レール２００の切欠部２０２と整合するまで、レール２００の長さに沿ってスライドする。次に、保持部７００は、保持部７００の脚部７１０および脚部７１１のうちの少なくとも１つが溝２０４内の突起２０６に完全に連結され、かつ、同突起２０６に対して位置決めされるように、レール２００に対して押圧される。図２Ｄから明らかなように、保持部７００の面取りされた内縁部７０３が突起２０６を超えてスライドすると、図２Ｅに示すように、保持部７００の遠位端が突起２０６によって保持される。また、保持部７００のタブ７０２は、締まり嵌めによりレール２００の切欠部２０２の中に押し込まれ、これにより、保持部７００がレール２００に対して相対移動しないように固定される。保持部７００を溝２０４および切欠部２０２の内側に配置し、かつ、レール２００との締まり嵌めを介してタブ７０２を圧縮することによって、保持部７００をレール２００に固定してもよい。これにより、保持部７００が車両１０２、レール２００およびサンルーフパネル１０６に対して振動したりがたついたりしなくなる。保持部７０１は、同様の方法でレール２０１に固定するとよい。
【００１３】
さらに、第１レール２００の前端および第２レール２０１の前端のうち少なくとも一つに、取付アーム５０２（図４）を介して下パネル５００が連結される面を設けてもよい。図２Ｆは、図２Ｃ〜２Ｅに従って組み立てが完了した保持部７００およびレール２００の側面図を示す。
【００１４】
保持部７００とレール２００とをコンパクトな入れ子構造で連結すると、サンルーフの他の構成要素をレール２００に連結したりレール２００に沿って移動させたりするためのスペースを確保できる、という利点がある。
【００１５】
図３Ａ〜３Ｆは、一実施例に係る保持部７００の様々な図である。保持部７００は、図２Ａ〜２Ｆに示すように、レール２００に沿って並ぶように、あるいはレール２００内に配置され、かつ、レール２００に対して連結されるとよい。さらに、保持部７００は、上パネル取付部７０６と、上パネル止め７０８とを有するとよい。上パネル４００は保持部７００に対して回動可能に連結され、上パネル４００の第１端は上パネル取付部７０６の周りを回動するが、上パネル４００がその動作範囲内（図４）で回動するときに、上パネル４００の第１端の上パネル取付部７０６に対する連結を維持するために、上パネル止め７０８が上パネル４００の動きを制限する。軸部７０４は、保持部７００の長手方向軸に直交する方向に突出してもよい。軸部７０４は、ねじりコイルばね１２８（図５Ａ〜５Ｄ）に連結されるとともに、そのねじりコイルばね１２８のコイル部分を支持するようにするとよい。ねじりコイルばね１２８の第１端は保持部７００のばね溝７１２に連結してもよく、この場合、ばね溝７１２はねじりコイルばね１２８の前端を保持するとともに保持部７００に固定させる。ねじりコイルばね１２８の第２端は、上パネル４００に連結するとよい。保持部７００が溝２０４に連結されると、タブ７０２はレール２００の切欠部２０２内に押し込まれる。タブ７０２は、切欠部２０２の高さがタブ７０２の高さより低くなって嵌合するように曲げることにより、切欠部２０２とタブ７０２の間が締まり嵌めとなるようにするとよい。脚部７１０および溝２０４は、保持部７００をレール２００の側方に固定するために設けられる。組み立ての間、保持部７００はレール２００に沿って配置されるので、保持部７００は溝２０４の中に押し込まれることによって横方向に固定され、タブ７０２が切欠部２０２の中に押し込まれる。脚部７１１は、脚部７１０と同様に、溝２０４と係合するとともに溝２０４に連結するとよい。第２保持部７０１は第２レール２０１に連結され、第２レール２０１および第２保持部７０１は、それぞれ第１レール２００および第１保持部７００と対称に配置するとよい。図３Ｆは、図２Ｅと同様に、レール２００に連結された保持部７００を示す。
【００１６】
図４は、一実施例に係るデフレクタアセンブリ１５０の側面図である。以下、上パネル４００の一部について説明するが、上パネル４００は、第１の部分と実質的に対称をなす第２の一致部分を有するとよい。両部分は、図１，５Ｂに図示する。上パネル４００の第１端は、上パネル取付部７０６に連結されるように形成された取付用切欠４０２を有してもよい。上パネル４００の下向きの側面は、ねじりコイルばね１２８の第２端と接触させるとよい。サンルーフパネル１０６および上パネル４００が閉位置にある状態から、サンルーフパネル１０６が少なくとも部分的に開く位置にある状態まで、上パネル４００がその動作範囲内で回転すると、ねじりコイルばね１２８の第２端が上パネル４００を押して車両１０２のルーフ面の上方位置まで伸展させ、これにより、上パネル４００はサンルーフパネル１０６の高さを超えて突出する伸展位置に配置される。上パネル４００が伸縮するとき、ねじりコイルばね１２８の第２端は上パネル４００の下向きの側面に沿ってスライドし、上パネル４００に対するばね力を維持する。伸展位置において、上パネル４００は、メッシュ６００を上向きに引き上げて、その表面において気流を導くようにしてもよい。ねじりコイルばね１２８は軸部７０４を中心に回転可能であり、保持部７００と上パネル４００との間でばねの張力を維持し、サンルーフパネル１０６が格納されて上パネル４００の上にないときには、上パネル４００を上向きに伸展させる力を付与する。サンルーフパネル１０６が車両１０２の後方に向けて十分に格納されなかった場合には、上パネル４００の上方にあるサンルーフパネル１０６の圧力によってねじりコイルばね１２８が上パネル４００に圧縮された状態が維持され、上パネル４００は折りたたみ位置に留まる。ねじりコイルばね１２８のばね力または複数のねじりコイルばね１２８の合成されたばね力を上パネル４００に付与することにより、上パネル４００の振動は、約４．４Ｇの誘導振動を上限として、十分に抑制し得る。
【００１７】
サンルーフパネル１０６が開位置または部分的に開いた位置にあり、かつ、上パネル４００が伸展位置にある状態で車両１０２が前方に進むときには、サンルーフパネル１０６が開位置または部分的に開いた位置にあるときに上パネル４００およびメッシュ６００が伸展位置にない場合よりも、メッシュ６００が伸張された状態になって、空気流をサンルーフ開口部１０４より上方へ向けるとともに高圧の空気を拡散させることにより、風切り音および車両１０２内への乱流の流入を低減する。
【００１８】
別の実施例として、上パネル４００は、少なくとも２つの構成要素の組み立てにより形成することができる。それらの構成要素が組み合わされた状態において、その構成要素は、上記の実施例と同様の構造および機能を備えてもよい。以下に、上パネル４００の一部および下パネル５００の一部について説明する。上パネル４００および下パネル５００の各部分は、第１の部分と対称的な、対応する第２の部分をそれぞれ有してもよい。
【００１９】
図５Ａ〜５Ｂは、一実施例に係るデフレクタアセンブリ１５０を示す。デフレクタアセンブリ１５０は、メッシュ６００を有してもよく、メッシュ６００の第１端部は上パネル４００に連結されてもよく、メッシュ６００の第２端部は下パネル５００に連結されてもよい。メッシュ６００は、上パネル４００の側縁（車両１０２に対して）に沿うように上パネル４００に連結されてもよいし、下パネル５００の側縁（車両１０２に対して）に沿うように下パネル５００に連結されてもよい。上パネル４００とメッシュ６００との連結、および、下パネル５００とメッシュ６００との連結は、上パネル４００および下パネル５００の各々を、例えばポリプロピレンといった樹脂から成形するときに、オーバーモールディングプロセスにより形成してもよく、そうしたメッシュ６００（例えば布により形成される）は、いずれもデフレクタアセンブリ１５０を形成するように連結される。
【００２０】
上パネル４００および下パネル５００は互いに自由に動くことができるが、メッシュ６００に対して連結されたり、あるいは、上パネル４００および下パネル５００の何れかが取り付けられる別の構成要素に対して連結されたりすることにより、その動きが制限される。サンルーフパネル１０６が開位置または部分的に開いた位置にある場合およびデフレクタアセンブリ１５０が伸展位置にある場合のように、上パネル４００の第２端部と下パネル５００の第２端部が十分に離間すると、メッシュ６００は伸張された状態になる。逆に、サンルーフパネル１０６が閉じてデフレクタアセンブリ１５０も閉じた状態になると、メッシュ６００は折りたたまれる。デフレクタアセンブリ１５０は第１レール２００および第２レール２０１、第１保持部７００および第２保持部７０１、並びにフロントハウジング３００に連結されるように設計され、サンルーフパネル１０６が開位置にあるときには、デフレクタアセンブリ１５０が伸展位置に配置され、ねじりコイルばね１２８のばね力によって上パネル４００と下パネル５００との間にメッシュ６００が張設される。サンルーフパネル１０６が閉位置にあるときには、上パネル４００の上方に配置されるサンルーフパネル１０６によってねじりコイルばね１２８が圧縮され、上パネル４００および下パネル５００が共に格納されるので、メッシュ６００が折り畳まれる。
【００２１】
上パネル４００は、実質的に対称をなして同様に第２保持部７０１に連結される第２端を有してもよく、この上パネル４００は、第１端と第２端との間が平面視におけるＵ字形を形成する。
【００２２】
下パネル５００は、実質的に対称をなす第２端を有してもよく、この下パネル５００は、第１端と第２端との間が平面視におけるＵ字形を形成する。取付アーム５０２は下パネル５００の第１端に連結され、取付アーム５０３は下パネル５００の第２端に連結されるとよい。取付アーム５０２はレール２００の端部にスナップフィットなどによって連結するように構成するとよく、取付アーム５０３はレール２０１の端部にスナップフィットなどによって連結するように構成するとよい。一以上の成形接続部５０４は、下パネル５００の端部に連結されるとよい。
【００２３】
取付アーム５０２は、第１案内面５０６、第２案内面５０８、Ｕ字形状部５１０および凹部５１２を有する。第１案内面５０６および第２案内面５０８は、アーム５０２の上端部と下端部とに配置される。第１案内面５０６および第２案内面５０８の各々は、レール２００の端部に対応する位置に、面取りされた縁部または湾曲した縁部を有する。仮に、レール２００の端が取付アーム５０２の下方または上方にあると、レール２００の端部は、それぞれ第１案内面５０６または第２案内面５０８に沿ってスライドした後に、両ガイド面の間に形成された凹部内に配置される。図４に示すように、Ｕ字形状部５１０および凹部５１２が組み合わされて弾性構造を形成することにより、取付アーム５０２は上方または下方に向かう弾力性のある動きが可能になる。Ｕ字形状部５１０の弾性変形と案内面（５０６および５０８）との組み合わせにより、レール２００の端部における取付アーム５０２の挿入が容易になる。
【００２４】
下パネル５００の縁部は、成形接続部５０４の個数と対応する数のフロントハウジング３００の下パネル用フック３０２に連結されるように構成することができ、これにより、下パネル５００は車両１０２内に安定して配置される。成形接続部５０４がフロントハウジング３００（図４）の上で対応する下パネル用フック３０２に容易に掛止するように、成形接続部５０４の各々をアンダーカット形状にしてもよい。
【００２５】
別の実施例として、下パネル５００は、少なくとも２つの構成要素を組み立てて形成してもよい。組み立て状態において、それら構成要素は、上記の実施例と同様の構造および機能を有してもよい。
【００２６】
図６Ａ〜６Ｄは、一実施例に係るサンルーフウインドデフレクタシステム１０１の組立プロセスを示す。一実施形態として、ねじりコイルばね１２８は、軸部７０４の周りを回動できるように、保持部７００の軸部７０４の上に配置してもよい。ねじりコイルばね１２８の第１端部は、保持部７００のばね溝７１２内に配置するとよい。ねじりコイルばね１２８の第２端部は、上パネル４００を支持するように、上方に向けて突出するように配置してもよい。その後、デフレクタアセンブリ１５０の上パネル４００は、保持部７００の上パネル取付部７０６に連結するとよい。そして、上パネル４００を下降させてねじりコイルばね１２８の第２端部と接触させることにより、デフレクタアセンブリ１５０が伸展位置と格納位置との間で変位するときに、上パネル４００の下向きの移動に抵抗する力を生じさせる。
【００２７】
パネル取付部７０６における上パネル４００の保持を補助するために、上パネル４００は、上パネル４００の動作範囲内の角度よりも大きい、水平に対するある角度で連結されてもよい。その水平に対する角度は、約４５度より大きくてもよい。
【００２８】
以上の記載は、単に、本出願の例示的な実施形態を開示および説明するものである。当業者であれば、本出願は、その主旨または本質的な特性から逸脱することなく、他の形態で具体化され得ることが理解される。したがって、本出願における本開示は、説明のためのものであり、請求の範囲および他の請求項を限定するものではない。本開示は、ここで示唆する容易に識別可能な変形例を含めて、発明の主題でない事項が公衆に供されることがないよう、ある程度、前述の請求項の用語の範囲を定める。
【外国語明細書】
2018070150000001.pdf